(57)【要約】【課題】  実用に適し、ペットの体毛が付着し難く、且つ、それが付着した場合でも容易に除去可能な寝具カバーを提供すること。【解決手段】  布帛表面の摩擦係数の平均偏差（ＭＭＤ）を、ＫＥＳ法により、縦方向及び横方向の各々につき、往復で各々３個所以上で測定したときの平均値が、縦方向及び横方向のいずれも０．０４５乃至０．１４０である布帛を用いて寝具カバーを作製する。【選択図】  なし【特許請求の範囲】
【請求項１】
布帛表面の摩擦係数の平均偏差（ＭＭＤ）を、ＫＥＳ法により、縦方向及び横方向の各々につき、往復で各々３個所以上で測定したときの平均値が、縦方向及び横方向のいずれも０．０４５乃至０．１４０である布帛を用いてなることを特徴とする寝具カバー。
【請求項２】
布帛として、その表面の表面粗さの平均偏差（ＳＭＤ）を、ＫＥＳ法により、縦方向及び横方向の各々につき、往復で各々３個所以上で測定したときの平均値が、縦方向及び横方向のいずれも０．６３μｍ以下であるものを用いる、請求項１に記載の寝具カバー。
【請求項３】
布帛として、以下の方法で付着させたイヌ又はネコの体毛を、粘着力（ＪＩＳ  Ｚ  ０２３７）が２乃至８である粘着剤層を有する粘着テープに付着させて除去したときに、前記体毛がほぼ１００％除去されるものを用いる、請求項１又は２に記載の寝具カバー。
体毛の付着方法：
３０ｃｍ×３０ｃｍの布に、イヌ又はネコの体毛１ｇを載せ、体毛のある面が内側となるように布を二つ折りにして布同士をこすり合わせる。布の折目を開き、逆さまにして、余分な体毛を自然に落下させる。
【請求項４】
布帛が、木綿糸１００％、又は木綿と合成または再生繊維との混紡糸であって木綿糸の割合が２０％以上であるものの織布である、請求項１乃至３のいずれか１項に記載の寝具カバー。
【発明の詳細な説明】
【技術分野】
【０００１】
本発明は、イヌ、ネコ等のペットの体毛が付着し難く、且つ、それが付着した場合でも容易に除去できる寝具カバーに関する。
【背景技術】
【０００２】
昨今は、マンション等において室内でペットを飼う人が増えている。室内でペットを飼っている人の中には、自分の寝具でペットも就寝させている人もいる。また、特にネコは、自ら炬燵に入ってくる傾向にある。
【０００３】
このように、室内においてペットと同居する結果として、ペットの体毛が布団カバーやシーツ等の寝具カバーに付着するという問題が生じている。
【０００４】
ペットの体毛は、放置すると不衛生であるので、通常は、寝具カバーに掃除機をあてたり、粘着テープを寝具カバーに貼付しその後剥離することにより、除去している。しかし、体毛は、織布の糸間やさらには繊維間にも入り込むため、その完全な除去は困難である。
【０００５】
ところで、特許文献１には、イヌ、ネコの抜け毛が付着しない洗濯可能な布団が開示されているが、布団用の布地として、滑らかな化学繊維を使用することが記載されているのみで、実際、どのような布地を使用したらよいのかは不明である。
【０００６】
特許文献２には、毛髪が付着し難く、且つ、付着した場合でも容易に除去できるホットカーペットカバーが開示されている。このホットカーペットカバーは、特定のパイル糸条を用いた立毛布帛からなるものであり、汎用性に欠ける。
【０００７】
また、体毛ではなく、花粉の付着に着目した発明として、特許文献３に開示の花粉付着防止繊維構造物がある。この繊維構造物では、ＫＥＳ法による布帛表面の摩擦係数の平均偏差が０．０４以下の布帛を用いている。しかし、このような布帛を用いて製造された寝具カバーで布団を被うと、すべりが良すぎるため、夜中に何度も布団がずり落ちてしまい、熟睡できない。
【０００８】
【特許文献１】実用新案登録番号第３０４６２５２号公報
【特許文献２】特開平１１−２７６３３４号公報
【特許文献３】特開２００３−２２７０７０号公報
【発明の開示】
【発明が解決しようとする課題】
【０００９】
本発明の目的は、実用に適し、ペットの体毛が付着し難く、且つ、それが付着した場合でも容易に除去可能な寝具カバーを提供することにある。
【課題を解決するための手段】
【００１０】
本発明者らは、上記課題を解決すべく鋭意検討し、本発明を完成させた。
【００１１】
即ち、本発明は、布帛表面の摩擦係数の平均偏差（ＭＭＤ）を、ＫＥＳ法により、縦方向及び横方向の各々につき、往復で各々３個所以上で測定したときの平均値が、縦方向及び横方向のいずれも０．０４５乃至０．１４０である布帛を用いてなることを特徴とする寝具カバーに関する。
【００１２】
布帛表面の摩擦係数の平均偏差（ＭＭＤ）の測定値中に、０．１８０以上の値がない布帛を用いることが好ましい。
【００１３】
布帛として、その表面の表面粗さの平均偏差（ＳＭＤ）を、ＫＥＳ法により、縦方向及び横方向の各々につき、往復で各々３個所以上で測定したときの平均値が、縦方向及び横方向のいずれも０．６３μｍ以下であるものを用いることが好ましい。
【００１４】
布帛表面の表面粗さの平均偏差（ＳＭＤ）の測定値中に、０．７０μｍ以上の値がない布帛を用いることがさらに好ましい。
【００１５】
また、布帛として、布帛表面の摩擦係数の平均偏差が上記の範囲内であることに加え、以下の方法で付着させたイヌ又はネコの体毛を、粘着力（ＪＩＳ  Ｚ  ０２３７）が２乃至８である粘着剤層を有する粘着テープに付着させて除去したときに、前記体毛がほぼ１００％除去されるものを用いることが好ましい。
【００１６】
体毛の付着方法：
３０ｃｍ×３０ｃｍの布に、イヌ又はネコの体毛１ｇを載せ、体毛のある面が内側となるように布を二つ折りにして布同士をこすり合わせる。布の折目を開き、逆さまにして、余分な体毛を自然に落下させる。
【００１７】
布帛は、木綿糸１００％、又は木綿と合成又は再生繊維との混紡糸であって木綿糸の割合が２０％以上であるものの織布であるのがよい。
【００１８】
また、布帛が、抗菌、防臭又は消臭、制電、又は防ダニ加工を施してあるものであるのがよい。
【００１９】
本発明において、寝具カバーとは、例えば、人用又はペット用布団の側（布団の布部分）、枕の布部分、コタツ布団側、座布団の側、ベッドパッド等のパッド類の布部分、種々の布団用カバー類（包布等）、毛布カバー、シーツ、枕カバー、座布団カバー等を指す。
【発明の効果】
【００２０】
本発明により、ペットの体毛が付着し難く且つ容易に除去可能な寝具カバーが提供される。
【００２１】
本発明により、寝具からのペットの体毛の除去作業が容易となる。
【００２２】
本発明により、寝具の清潔性が高まる。
【発明を実施するための最良の形態】
【００２３】
以下に、本発明を詳細に説明する。
【００２４】
本発明において、「縦方向」とは、布帛の長さ方向をいい、「横方向」とは、布帛の幅方向をいう。
【００２５】
本発明において、摩擦係数の平均偏差や表面粗さの平均偏差に関し、６点（往路、復路各３点）以上の測定値の平均値が特定の数値範囲内に入ることを求めているのは、測定した個所の値が偶々特定の数値範囲内であっただけで、他の個所の測定値が前記数値範囲外であり、そのような数値範囲外の個所においてペットの体毛が付着するという場合を極力除くためである。
【００２６】
１．摩擦係数の平均偏差（ＭＭＤ）の測定方法
本発明において、平均摩擦係数の平均偏差（ＭＭＤ）は、次のようにして測定する。
【００２７】
測定は、カトーテック（株）製の表面試験機（ＫＥＳ−ＦＢシリーズ）を用い、その仕様書に記載の条件で測定する。
【００２８】
具体的には、測定は、２０℃×６５％ＲＨの環境下で行う。５ｍｍ×５ｍｍの面上に０．５ｍｍ径のピアノ線（接触子）を１０本並べたものを、５０ｇｆの荷重で２０ｇｆ／ｃｍの張力をかけた布帛に圧着させ、１ｍｍ／秒の一定速度で水平に２ｃｍ移動させ、この間の摩擦係数の平均偏差を測定する。
【００２９】
ＭＭＤが小さいということは、摩擦係数の変動が小さく、滑り易い布帛であることを意味する。ＭＭＤの測定値の平均値が０．０４５より小さい場合、例えば掛布団カバーであれば、就寝時に掛布団がずりおちてしまい、カゼをひいたり安眠できない。
【００３０】
ＭＭＤが大きいということは、摩擦係数の変動が大きく、布帛表面を摩擦した時、粘着性が高くて引っかかりやすいことを意味する。従って、ＭＭＤの測定値の平均値が０．１４０よりも大であると、ペットの体毛が布帛表面に引っかかって付着し易く、且つ、除去しずらい。
【００３１】
また、ＭＭＤの測定値として、０．１８０以上の値がある場合には、摩擦係数の変動が大きい個所、即ち、滑りが悪くてペットの体毛が引っかかり易い個所が存在する可能性が高くなるため、好ましくない。
【００３２】
２．表面粗さの平均偏差
本発明において、表面粗さの平均偏差（ＳＭＤ）は、次のようにして測定する。
【００３３】
測定は、カトーテック（株）製の表面試験機（ＫＥＳ−ＦＢシリーズ）を用い、その仕様書に記載の条件で測定する。
【００３４】
具体的には、測定は、２０℃×６５％ＲＨの環境下で行う。０．５ｍｍ径で長さが５ｍｍのピアノ線１本を接触子として用いる。この接触子を、１０ｇｆの荷重で２０ｇｆ／ｃｍの張力をかけた布帛に圧着させ、１ｍｍ／秒の一定速度で水平に２ｃｍ移動させ、この間の布帛表面粗さの平均偏差を測定する。
【００３５】
ＳＭＤが大きいということは、布帛表面の凹凸が大きいことを意味する。ＳＭＤの測定値の平均値が０．６３μｍよりも大きいと、ペットの体毛が布帛表面の凹部に入り込み易く、且つ、除去しずらい。
【００３６】
また、ＳＭＤの測定値中に、０．７０μｍ以上の値がある場合には、表面粗さの変動が大きい個所、即ち布帛表面の凹凸が大きくてペットの体毛が入り込み易い個所が存在する可能性が高くなるため、好ましくない。
【００３７】
３．粘着力（ＪＩＳ  Ｚ  ０２３７）
ＪＩＳ  Ｚ  ０２３７（粘着テープ・粘着シート試験方法）に従い、ガラス板の傾斜角度を３０°として、粘着テープの粘着剤部分粘着力を測定する。
【００３８】
４．体毛除去率
３０ｃｍ×３０ｃｍの布に、イヌ又はネコの体毛１ｇを載せ、体毛のある面が内側となるように布を二つ折りにして布同士をこすり合わせる。布の折目を開き、逆さまにして、余分な体毛を自然に落下させる。
【００３９】
なお、体毛を載せるのは、布の表裏二面のうち、寝具カバーの外側となる方の面である。
【００４０】
布表面（体毛と接触させた面）に、粘着力が２乃至８の粘着剤層を有する粘着テープを貼付し、次いで剥がす。
【００４１】
布に体毛が残っているか否かを、目視によって判断する。
【００４２】
体毛が全く又は殆ど残っていない場合を、体毛除去率がほぼ１００％であるとする。
【００４３】
本発明の寝具カバーに用いる、布帛の縦方向６個所（往路、復路各３個所）以上における摩擦係数の平均偏差の平均値と、布帛の横方向６個所（往路、復路各３個所）以上における摩擦係数の平均偏差の平均値とが、いずれも０．０４５乃至０．１４０である布帛の例としては、木綿の生地に特殊樹脂製の超微粒子を固定化して生綿繊維の凹凸を解消してなるもの（富士紡績株式会社製「花粉クリーン」）等が挙げられる。
【００４４】
本発明の寝具カバーに用いる布帛として、上記条件を充足する、木綿糸１００％、又は木綿と合成繊維又は再生繊維との混紡糸であって木綿糸の割合が２０％以上であるもののが好ましい。寝具は、吸汗性を有する生地で作ることが好ましいからである。
【００４５】
合成繊維の例としては、ポリエステル系繊維またはポリアミド系繊維またはポリオレフィン系繊維等が好ましい。ポリエステル系繊維としては、ポリエチレンテレフタレート、ポリトリメチレンテレフタレート、ポリブチレンテレフタレートやこれらを主成分とした共重合ポリエステル系繊維等が挙げられ、また、ポリアミド系繊維としては、ナイロン６，ナイロン６６および第３成分を共重合したもの等が挙げられる。ポリオレフィン系繊維としては、ポリプロピレン、ポリエチレン等が挙げられる。また、再生繊維の例としては、ビスコースレーヨン等が挙げられる。
【００４６】
本発明の寝具カバーには、抗菌、防臭又は消臭、制電、又は防ダニ加工を施してある生地を用いることも好ましい。抗菌、防臭又は消臭、制電、又は防ダニ加工は、それぞれ公知の方法で行うことができ、また、これらの加工がなされた布地も、多数市販されている。
【実施例１】
【００４７】
カトーテック（株）製ＫＥＳ−ＦＢ１表面試験機を用い、二種類の布地につき、表面（寝具カバーの外側となる面）の摩擦係数の平均偏差と表面粗さの平均偏差を測定した。測定方法は、前記のとおりであり、また、測定回数は、布地の縦、横それぞれ３個所で、往復とした。
【００４８】
使用した布地は、次のとおりである。
【００４９】
布−１：  富士紡績（株）製２００ＫＣクリーン（タテ糸：４０番手；ヨコ糸：４０番手；折込密度：１３０本×７０本／インチ）。この布は、生地に特殊樹脂の超マイクロ粒子を固定化し、綿繊維の表面の凹凸を解消してある。
【００５０】
布−２：  中国製ポリエステル６５％、綿３５％の布地（タテ糸：４５番手；ヨコ糸：４０番手；折込密度：１１０本×７６本／インチ）。
【００５１】
結果を表１（摩擦係数の平均偏差）及び表２（表面粗さの平均偏差）に示す。
【００５２】
【表１】
2005111022.tif 000002
【００５３】
【表２】
2005111022.tif 000003
【００５４】
これらの結果から明らかなように、布−１は、摩擦係数の平均偏差及び表面粗さの平均偏差が適切な値であった。
【実施例２】
【００５５】
（イヌの体毛の除去実験の方法）
１．粘着テープの作製
不織布基材上に、水溶性ゲル粘着剤ａを厚さ２ｍｍで塗布し、粘着テープＡを作製した。
【００５６】
同様に、不織布基材上に、水溶性ゲル粘着剤ｂを厚さ２ｍｍで塗布し、粘着テープＢを作製した。
【００５７】
水溶性ゲル粘着剤ａは、ポリビニルアルコールを１．５重量％、ポリアクリル酸ナトリウムを１．５重量％含有するゲルであり、水溶性ゲル粘着剤ｂは、ポリビニルアルコールを２．０重量％、ポリアクリル酸ナトリウムを１．８重量％含有するゲルである。
【００５８】
２．粘着力の測定
粘着テープＡ及びＢの粘着力を、前記したＪＩＳ  Ｚ  ０２３７に規定される方法によって測定した。その結果、粘着テープＡの粘着力は３、粘着テープＢの粘着力は８であった。
【００５９】
３．イヌの体毛が付着した布の調製
実施例１で用いた布−１及び布−２を、それぞれ３０ｃｍ×３０ｃｍに切断した。
【００６０】
これらの布の各々に、イヌ（チワワ）の体毛１ｇを載せ、体毛のある面が内側となるように布を二つ折りにして布同士をこすり合わせた。次いで、布の折目を開き、逆さまにして、余分な体毛を自然に落下させた。
【００６１】
布−１及び布−２のそれぞれについて、イヌの体毛が付着した布を２枚ずつ作製した。
【００６２】
４．粘着テープによる体毛の除去
布のイヌの体毛と接触させた面全体に、粘着テープＡ又は粘着テープＢを貼付し、次いで剥がした。
【００６３】
布に体毛が残っているか否かを、目視によって判断した。
【００６４】
（結果）
布−１：  粘着テープＡ、粘着テープＢのいずれを使用した場合も、布表面にイヌの体毛は残っていなかった。
【００６５】
布−２：  粘着テープＡ、粘着テープＢのいずれを使用した場合も、布表面にイヌの体毛が残っていた。特に、粘着テープＡを使用した場合には、体毛は殆ど取れず、粘着テープ貼付前の体毛の量と殆ど同じであった。
【００６６】
（結論）
以上のとおり、摩擦係数の平均偏差が特定の数値範囲内である布地は、ペットの体毛が付着し難く且つ容易に除去可能であった。従って、このような布地で寝具カバーを作製すれば、そのような寝具カバーには、ペットの体毛が付着し難く、且つ、たとえ付着しても、容易に除去することができる。